(57)【特許請求の範囲】
【請求項１】
複数の鍵からなる鍵盤を収容してなるケースと、
前記ケースに対して、該ケースにおける前記鍵盤の上方を閉じる閉位置と該上方を開く開位置との間で移動可能となるように取り付けられた板状の蓋体と、
前記ケースにおける前記鍵盤の側方に配置した側部とそれに対向する前記蓋体における前記鍵の配列方向の端部とを連結してなる連結機構と、を備えた鍵盤楽器の蓋体開閉構造であって、
前記連結機構は、
前記ケースの側部と前記蓋体の前記端部との間に取り付けられて、一端が前記側部の内側面に対してリンク支持されており、他端が前記蓋体の前記端部に対してリンク支持されてなる一又は複数の連結具を備え、
前記蓋体が前記開位置にある状態で、前記連結具を前記蓋体に対して直接又は他の部材を介して当接させることで、前記蓋体の回動がその位置で停止すると共に、前記開位置における前記蓋体の位置及び姿勢が規定されるようにしたストッパ機構を備える
ことを特徴する鍵盤楽器の蓋体開閉構造。
【請求項２】
前記連結具は、前記ケース側の第１リンク支点と前記蓋体側の第２リンク支点とを連結する長尺状の部材であって、
前記ストッパ機構は、前記連結具の長手方向に対する側面が、前記蓋体の内面、又は該内面に取り付けた前記第２リンク支点用の取付部材に対して面接触状態で当接する構成である
ことを特徴とする請求項１に記載の鍵盤楽器の蓋体開閉構造。
【請求項３】
前記開位置における前記蓋体は、その後端部が前端部よりも前記ケースの前側に位置するように傾斜した状態で、該ケースの上面に立設される
ことを特徴する請求項１又は２に記載の鍵盤楽器の蓋体開閉構造。
【請求項４】
前記連結機構は、前記蓋体が前記閉位置と前記開位置との間を移動する際に、該蓋体の後端部が前記鍵の長手方向を前後へスライド移動するように構成したスライド機構をさらに備え、
前記蓋体が前記閉位置から前記開位置へ移動する際に、当該スライド機構によって該蓋体の後端部が前記ケースの前側へ移動し、
前記開位置で前記連結具が前記蓋体の後端部に対して直接又は他の部材を介して当接するするように構成した
ことを特徴とする請求項1乃至３のいずれか１項に記載の鍵盤楽器の蓋体開閉構造。
【発明の詳細な説明】
【技術分野】
【０００１】
本発明は、電子オルガンや電子ピアノをはじめとする各種の鍵盤楽器において、ケース内に設置した鍵盤の上面側を開閉する蓋体と、ケースに対して蓋体を移動可能に連結してなる連結機構とを備えた鍵盤楽器の蓋体開閉構造に関する。
【背景技術】
【０００２】
電子オルガンや電子ピアノをはじめとする各種の鍵盤楽器には、ケース内に設置した鍵盤の上面側を開閉するための鍵盤蓋（蓋体）を備えたものがある。このような鍵盤蓋を開閉する開閉機構の従来技術として、例えば、特許文献１に示す開閉機構がある。特許文献１に記載の開閉機構は、楽器本体と鍵盤蓋の後端部付近とをリンク部材によってそれぞれ回動自在に連結し、鍵盤蓋のリンク部材を軸支する位置から所定距離離れた位置にローラからなるガイド当接部を設け、鍵盤蓋の開閉時にそのガイド当接部を楽器本体内に固設されたガイド部材（ローラガイド）の少なくとも２つの異なる湾曲面からなる第１，第２のガイド部に常に接触させながら移動させるように構成したものである。
【０００３】
また、鍵盤蓋を開閉する構造の他の従来例として、特許文献２に記載の開閉機構がある。特許文献２に記載の開閉機構は、ピアノ本体側に奥屋根を介して回動自在に取り付けた一枚板状の蓋体を開閉するための機構であって、奥屋根の下面側に取り付けた緩衝器と鍵盤蓋との間を連結する細板状のリンクバー（連結具）を有するリンク機構を備えている。
【先行技術文献】
【特許文献】
【０００４】
【特許文献１】特公平７−３８１０６号公報
【特許文献２】特許３５８９３７７号公報
【発明の概要】
【発明が解決しようとする課題】
【０００５】
ところで、特許文献１、２に示すような蓋体開閉構造では、開動作に伴って移動する蓋体を開位置で停止させて、蓋開状態で規制するための機構が必要である。このような機構として、特許文献１の従来構造では、鍵盤蓋に設けたローラが本体部内に設けたローラガイドの端部に当接して係止されることで、鍵盤蓋が開位置で停止するように構成している。また、特許文献２に記載の蓋体開閉構造では、鍵盤蓋の前部の角部が上前板（特許文献２の図面には図示されていない。）に当接することによって、鍵盤蓋が開位置で停止するように構成している。このように、蓋体開閉構造における蓋体を開位置で停止させて蓋開状態で規制するための機構は、蓋体開閉構造の具体的な構成及びそれに用いられる部品の形状や構造に応じて異なる構造となる。そして、このような鍵盤蓋を開位置で停止させるための機構は、当該開閉構造が備える構成部品同士を当接させて蓋体の移動を停止させるようにすれば、蓋体開閉構造の部品点数を少なく抑えることができ、構成の簡素化を図ることができるようになる。
【０００６】
本発明は上述の点に鑑みてなされたものであり、その目的は、部品点数を少なく抑えた簡単な構成で、鍵盤楽器の蓋体を開位置で確実に停止させて蓋開状態での位置及び姿勢を規制することができる鍵盤楽器の蓋体開閉構造を提供することにある。
【課題を解決するための手段】
【０００７】
上記課題を解決するための本発明は、複数の鍵（５ａ，５ｂ）からなる鍵盤（５）を収容してなるケース（１０）と、前記ケース（１０）に対して、該ケース（１０）における前記鍵盤（５）の上方を閉じる閉位置と該上方を開く開位置との間で移動可能となるように取り付けられた板状の蓋体（２０）と、前記ケース（１０）における前記鍵盤（５）の側方に配置した側部（６）とそれに対向する前記蓋体（２０）における前記鍵（５ａ，５ｂ）の配列方向の端部（２０ｄ）とを連結してなる連結機構（３０）と、を備えた鍵盤楽器の蓋体開閉構造であって、前記連結機構（３０）は、前記側部（６）と前記蓋体（２０）の前記端部（２０ｄ）との間に取り付けられて、一端（３１ａ）が前記側部（６）の内側面（６ｃ）に対してリンク支持されており、他端（３１ｂ）が前記蓋体（２０）の前記端部（２０ｄ）に対してリンク支持されてなる一又は複数の連結具（３１）を備え、前記蓋体（２０）が前記開位置にある状態で、前記連結具（３１）を前記蓋体（２０）に対して直接又は他の部材（３４）を介して当接させることで、前記蓋体（２０）の回動がその位置で停止すると共に、前記開位置における前記蓋体（２０）の位置及び姿勢が規定されるようにしたストッパ機構（３７）を備えることを特徴する。
【０００８】
本発明にかかる蓋体開閉構造によれば、開位置での蓋体の位置及び姿勢を規定するために、連結具を蓋体に対して直接又は他の部材を介して当接させるストッパ機構を備えた。これにより、蓋体開閉構造の構成部品を用いて蓋体を開位置で停止させるための機構を実現できる。したがって、蓋体開閉構造の構成部品以外の別部品で構成したストッパ機構を設ける場合と比較して、蓋体開閉構造の部品点数を少なく抑えることが可能となり、蓋体開閉構造及び鍵盤楽器の構成の簡素化や軽量化を図ることができる。また、本発明では、連結具を蓋体に対して当接させるように構成したことで、開位置における蓋体をケース又は鍵盤の上面あるいは鍵の長手方向に対して所望の角度で傾けた状態で停止させることを簡単かつ確実に行えるようになる。
【０００９】
また、本発明にかかる上記の蓋体開閉構造では、前記連結具（３１）は、前記ケース（１０）側の第１リンク支点（３３）と前記蓋体（２０）側の第２リンク支点（３５）とを連結する棒状の部材であって、前記ストッパ機構（３７）は、前記連結具（３１）の長手方向に対する側面（３１ｄ）が、前記蓋体（２０）の内面（２０ｃ）、又は該内面（２０ｃ）に取り付けた前記第２リンク支点（３５）用の取付部材（３４）に対して面接触状態で当接する構成であってよい。
【００１０】
このように、蓋体が開位置にある状態で、連結具の長手方向に対する側面が蓋体の内面又は取付部材に対して面接触状態で当接するように構成したことで、蓋体を開位置で確実に停止させることが可能となる。また、連結具の側面が面接触状態で当接することで、開位置で停止した蓋体にさらに開方向へ移動させようとする力が作用した場合でも、蓋体がその方向へ動いてしまうことを防止できると共に、連結具や蓋体の当接箇所にかかる力が一点に集中することを防止できる。したがって、連結具や蓋体に破損などの不具合が生じることを防止できる。
【００１１】
また、上記の蓋体開閉構造では、前記開位置における前記蓋体（２０）は、その後端部（２０ａ）が前端部（２０ｂ）よりも前記ケース（１０）の前側に位置するように傾斜した状態で、該ケース（１０）の上面に立設されるようにするとよい。
【００１２】
この構成によれば、開位置にある蓋体は、その後端部が前端部よりも前側に位置するように傾斜した状態でケースの上面に立設されるので、蓋体を開位置で安定的に停止させておくことが可能となる。したがって、開位置の蓋体が不用意に閉位置の方へ移動して閉じてしまうことをより確実に防止できる。
【００１３】
また、上記の蓋体開閉構造では、前記連結機構（３０）は、前記蓋体（２０）が前記閉位置と前記開位置との間を移動する際に、該蓋体（２０）の後端部（２０ａ）が前記鍵（５ａ，５ｂ）の長手方向を前後へスライド移動するように構成したスライド機構（４０）をさらに備え、前記蓋体（２０）が前記閉位置から前記開位置へ移動する際に、当該スライド機構（４０）によって該蓋体（２０）の後端部（２０ａ）が前記ケース（１０）の前側へ移動し、前記開位置で前記連結具（３１）が前記蓋体（２０）の後端部（２０ａ）に対して直接又は他の部材を介して当接するするように構成してよい。
【００１４】
この構成によれば、蓋開時にスライド機構によって蓋体の後端部がケースの前側へ移動するような蓋体開閉構造において、上記構成のストッパ機構によって、蓋体を開位置で確実に停止させることができるようになる。
なお、上記における括弧内の符号は、後述する実施形態における対応する構成要素の符号を本発明の一例として示したものである。
【発明の効果】
【００１５】
本発明にかかる鍵盤楽器の蓋体開閉構造によれば、連結具を蓋体側に当接させることで蓋体を開位置で停止させるストッパ機構を備えたことで、部品点数を少なく抑えた簡単な構成で、鍵盤楽器の蓋体を開位置で確実に停止させて蓋開状態での位置及び姿勢を規制することができるようになる。
【図面の簡単な説明】
【００１６】
【図１】本発明の第１実施形態にかかる蓋体開閉構造を備えた鍵盤楽器の全体構成例を示す斜視図である。
【図２】蓋体開閉構造の詳細構成を示す図で、鍵盤楽器の側断面図である。
【図３】スライド機構の詳細構成を示す図で、下ケースの一方の側部を示す部分拡大斜視図である。
【図４】第１実施形態の鍵盤楽器における下ケースの一方の側部を示す部分拡大斜視図である。
【図５】ストッパ機構の詳細構成を示す図で、（ａ）は、第２軸支部及びその周辺の構成部品を軸方向から見た概略図であり、（ｂ）は、（ａ）のＸ矢視を示す図である。
【図６】蓋体が閉位置から開位置へ移動する際の動作を説明するための図である。
【図７】本発明の第２実施形態にかかる蓋体開閉構造を示す図で、鍵盤楽器の側断面図である。
【図８】第２実施形態の鍵盤楽器における下ケースの一方の側部を示す部分拡大図である。
【発明を実施するための形態】
【００１７】
以下、添付図面を参照して本発明の実施形態を詳細に説明する。
〔第１実施形態〕
図１は、本発明の第１実施形態にかかる蓋体開閉構造を備えた鍵盤楽器１の全体構成例を示す斜視図である。また、図２は、本実施形態にかかる蓋体開閉構造の詳細構成を示す図で、鍵盤楽器１の側断面図である。なお、図２（ａ）は、後述する蓋体２０が開位置にある状態を示しており、（ｂ）は、蓋体２０が閉位置にある状態を示している。本実施形態の鍵盤楽器１は、下ケース（ケース）１０と、該下ケース１０内に設置された鍵盤５と、下ケース１０に取り付けられた蓋体（鍵盤蓋）２０とを備えている。なお、以下の説明では、横方向又は幅方向というときは、鍵盤５の各鍵５ａ，５ｂが配列された左右方向を示し、前又は後というときは、鍵盤５の手前側（演奏者側）又は奥側を示すものとする。また、図１では、後述するスライド機構４０の構成部品を示すために、後述するパネル部材５５の一方の端部５５ａ（図４参照）及びその近傍の部分を省略した状態で図示している。
【００１８】
鍵盤５は、横方向に沿って配列された複数の黒鍵５ａと白鍵５ｂとを有している。鍵盤５を収容している下ケース１０は、鍵盤５の左右両側それぞれを覆う一対の側板（側部）６，６と、鍵盤５の前側を覆う前板（前部）７と、後側を覆う後板（後部）８と、底側を覆う底板（底部）９とで囲まれており、全体が横長の略直方体状に形成されている。下ケース１０の上面側は、鍵盤５の上面が露出する開口になっている。そして、蓋体２０は、下ケース１０に対して該開口を完全に閉じる閉位置と、該開口を完全に開く開位置との間で移動可能となるように取り付けられている。この蓋体２０は、一対の側板６，６の上端面６ａ，６ａに載置された状態で開口を塞ぐ一枚板状の部材であり、その外形は、下ケース１０の外形に沿う横長の長方形状になっている。蓋体２０の内面（下面）２０ｃにおける前端近傍には、前板７の上方で鍵盤５の前面を覆う蓋前２１が取り付けられている。なお、上記では、側板６，６は、その側面視の形状が方形状であって、上端面６ａ，６ａが下ケース１０の後方から前方に向かって水平な（下ケース１０の底板９と平行な）形状である場合を示したが、これ以外にも、詳細な図示は省略するが、側板６，６は、その側面視の形状が略台形形状であって、その上端面６ａ，６ａが下ケース１０の後方から前方に向かって下降するように傾斜する傾斜平面状に形成されていてもよい。
【００１９】
また、鍵盤５の両側部を覆う一対の側板６，６それぞれと、それらに対向する蓋体２０の両側の端部２０ｄ，２０ｄそれぞれとの間には、下ケース１０に対して蓋体２０を移動可能に連結してなる連結機構３０が設けられている。本実施形態の鍵盤楽器１では、連結機構３０，３０は、一対の側板６，６それぞれと蓋体２０における鍵５ａ、５ｂの配列方向の両端部２０ｄ，２０ｄそれぞれとの間に取り付けた一対の連結具３１，３１を有している。一対の連結具３１，３１は、互いが左右対称な形状及び取付構造を有している。なお、ここでいう蓋体２０の端部２０ｄとは、蓋体２０の幅方向における両側の端面とその近傍の内面２０ｃや外面を含む部分を示すものである。
【００２０】
図２に示すように、連結具３１は、長尺板状の部材であり、その長手方向の一方の端部３１ａが側板６の内側面６ｃに設けた第１リンク支点３３に回動自在に支持されており、他方の端部３１ｂが蓋体２０の端部２０ｄにおける鍵盤５側を向く内面２０ｃに設けた第２リンク支点３５に回動自在に支持されている。第１リンク支点３３は、側板６の内側面６ｃに対して、連結具３１の一方の端部３１ａを下ケース１０の幅方向を軸方向とする回転軸周りで回転自在に支持（リンク支持）している。また、第２リンク支点３５は、蓋体２０の内面２０ｃに対して、連結具３１の他方の端部３１ｂを蓋体２０の幅方向及び面方向を軸方向とする回転軸周りで回転自在に支持（リンク支持）している。また、第１リンク支点３３は、側板６の内側面６ｃに固定した軸受部品３２で連結具３１の端部３１ａを支持している。この軸受部品３２は、トルク発生機能を有しない通常の軸受部品である。また、第２リンク支点３５は、蓋体２０の内面２０ｃにネジで固定した取付板３４に設けたトルク発生型の軸受部品３６で連結具３１の端部３１ｂを支持している。
【００２１】
第２リンク支点３５に設置したトルク発生型の軸受部品３６は、その詳細な図示及び構造の説明は省略するが、例えば、内部に作動油が充填された筒状のハウジングと、該ハウジング内に回転自在に嵌合する回転部材とを備えて構成され、作動油の油圧による摺動抵抗によって回転部材の回転に対する制動力が作用するように構成された回転ダンパ機構（オイルダンパ機構）を用いることができる。このような回転ダンパ機構からなるトルク発生型の軸受部品３６として、例えば、特開２００１‐３４９３６４号公報や特開２００８−１８５２１５号公報などに開示された構造の軸受を用いることが可能である。なお、上記のトルク発生型の軸受部品３６は、蓋体２０と連結具３１との相対的な回動に対する抵抗力を発生する抵抗力発生部として機能する部品である。
【００２２】
軸受部品３６は、上記のオイルダンパ機構に代えて、軸回りに設置した複数の樹脂部品の摺動により摩擦力を発生する回転ダンパ機構（回転摩擦機構）であってもよい。そして、この回転摩擦機構は、一方への回転においてのみ大きな摩擦力を発生し、なおかつ、回転速度が大きければ大きい程、大きな摩擦力を発生するダンパ機構（これを「ワンウェイクラッチ機構」）ともいう。）を用いてよい。そして、このようなダンパ機構を用いる場合は、蓋体２０を開位置から閉位置へ向けて移動させる方向で大きな摩擦力を発生するように設置すれば、閉位置へ移動する蓋体２０の動きがゆっくりとしたものになるので、蓋体２０を閉じる際に蓋体２０と側板６の上端面６ａとの間に指などを挟むおそれを低減できる。
【００２３】
連結具３１は、その長手方向が第１リンク支点３３から第２リンク支点３５に向かって延びる細板状で、第１リンク支点３３と第２リンク支点３５との中間の部分が平面内で略「く」字型に屈曲する屈曲部３１ｃになっている。この連結具３１は、その面を側板６の内側面６ｃと平行にして、屈曲部３１ｃの内側を上方に向けた状態で取り付けられている。また、第１リンク支点３３は、第２リンク支点３５よりも下側かつ前側（下ケース１０の下側かつ前側）に配置されている。
【００２４】
また、本実施形態の蓋体開閉構造は、蓋体２０が閉位置と開位置との間を移動する際に、該蓋体２０の後端部２０ａが側板６の上端面６ａ（下ケース１０の上面）に沿ってスライド移動するように構成したスライド機構４０を備えている。図３は、スライド機構４０の詳細構成を説明するための図で、下ケース１０の幅方向における一方の端部を示す部分拡大斜視図である。なお、この図３及び先の図１においては、スライド機構４０の構成部品を示すために、後述するパネル部材５５の一方の端部５５ａ及びその近傍（図４参照）を省略した状態で図示している。同図に示すように、スライド機構４０は、側板６の内側面６ｃに取り付けたガイド部材４３と、ガイド部材４３に設けた直線状のガイド溝（凹部）４３ａと、蓋体２０に対して回動自在に取り付けたスライド部材４５と、スライド部材４５に設けたスライド突起（凸部）４５ａとを備え、ガイド溝４３ａにスライド突起４５ａをスライド自在に嵌合させた構成である。そして、蓋体２０が閉位置から開位置へ移動する際に、上記のスライド機構４０によって、蓋体２０の後端部２０ａが側板６の上端面６ａ及び鍵５ａ、５ｂの長手方向と平行に下ケース１０の前側へ移動するようになっている。
【００２５】
ガイド部材４３とスライド部材４５は、いずれも表面が滑らかな合成樹脂製の成型品などからなる。そして、ガイド部材４３は、側板６の内側面６ｃに取り付けた略矩形状の部材である。ガイド溝４３ａは、断面が略コ字型の溝部であり、その長手方向が側板６の上端面６ａ及び鍵５ａ，５ｂの長手方向と平行な方向に沿って前後に延びている。一方、スライド部材４５は、蓋体２０の開閉動作に伴い前後方向に移動するようになっている。スライド突起４５ａは、ガイド溝４３ａにスライド自在に嵌合する断面が略コ字型の突起である。なお、ガイド溝４３ａは、蓋体２０が閉位置から開位置まで移動する際の全域でスライド突起４５ａを嵌合させる長さ寸法を有している。
【００２６】
上記のスライド機構４０では、ガイド溝４３ａにスライド突起４５ａが嵌合していることで、これらが互いに離間することなくスライド移動するようになっている。これにより、蓋体２０のよりスムーズな開閉動作を実現できる。また、蓋体２０が閉位置と開位置との間で移動する際に、側板６の上端面６ａと蓋体２０の後端部２０ａとの間隔が常に一定に保たれるので、それらの間に指などを挟むことを効果的に防止できる。さらに、側板６と蓋体２０とを連結している連結具３１にねじれやゆがみが生じることも防止できる。
【００２７】
また、下ケース１０内の鍵盤５の後部上方には、板状のパネル部材（鍵盤押え）５５が設置されている。パネル部材５５は、鍵盤５の見え掛り部４より後側の上面を覆う部材である。なお、ここでいう見え掛り部４とは、鍵盤５におけるパネル部材５５で覆われておらずその上面側が露出している部分を指す。そして、パネル部材５５の幅方向の両端を除く部分は、開位置での蓋体２０の内面２０ｃに立て掛ける譜面の下端を載置するための譜面受け５３になっている。譜面受け５３は、鍵５ａ，５ｂの長手方向に沿って前側から後側に向かうにつれて次第に下降するように傾斜する傾斜平面状の底面を有する窪みからなる。また、譜面受け５３は、下ケース１０の幅方向に沿って一方の側板６の近傍から他方の側板６の近傍まで延伸している。
【００２８】
図４は、パネル部材５５の幅方向（長手方向）の端部５５ａの詳細構成を示す図で、下ケース１０の一方の側部を示す部分拡大図である。同図に示すように、パネル部材５５の端部５５ａには、スライド機構４０及び連結具３１の一部を覆うカバー部５４が設けられている。本実施形態のパネル部材５５は、合成樹脂製の一体成型品で、カバー部５４は、パネル部材５５の端部５５ａ（譜面受け５３の側方）に一体形成された部分である。このカバー部５４は、スライド機構４０を構成するガイド部材４３の周囲を覆うと共に、連結具３１の下ケース１０側の一部を覆う形状に形成されている。具体的には、カバー部５４は、その側板６側の端面（譜面受け５３と反対側の端面）が側板６の内側面６ｃに対向しており、かつ、上面が側板６の上端面６ａに沿う平面状に形成されており、全体が略矩形状の箱型の部分として形成されている。
【００２９】
このようなカバー部５４の内部にスライド機構４０及び連結具３１の一部が収容されている。また、カバー部５４における側板６の内側面６ｃに対向する部分には、連結具３１を挿通させるための切込部５５ｃが設けられている。これにより、連結具３１は、切込部５５ｃを介してパネル部材５５の下側から上方に突出し、その先の端部３１ｂが蓋体２０の内面２０ｃに設けた第２リンク支点３５に連結されている。切込部５５ｃは、連結具３１の厚さ寸法よりも大きな幅寸法と、蓋体２０が閉位置と開位置との間で移動する際に連結具３１が移動する範囲よりも大きな奥行寸法とを有している。
【００３０】
既述のように、本実施形態の蓋体開閉構造では、蓋体２０側の第２リンク支点３５には、トルク発生型の軸受（軸受部品）３６が設置されている。このトルク発生型の軸受部品３６は、軸方向の一端（外側の端部）３６ａに連結具３１の端部３１ｂが係合しており、そこから軸方向に沿って下ケース１０の内側（幅方向の内側）へ延びており、かつ、蓋体２０の内面２０ｃからその径寸法分だけ突出している。そして、本実施形態の鍵盤楽器１では、パネル部材５５に設けた窪みからなる譜面受け５３の両端部（幅方向の両端部）は、蓋体２０が閉位置にある状態で上記のトルク発生型の軸受部品３６を収容するための収容部５２になっている。
【００３１】
そして、鍵盤楽器１には、蓋体２０が開位置にある状態で、蓋体２０の移動を停止させるためのストッパ機構３７が設けられている。図５は、ストッパ機構３７の詳細構成を示す図で、第２リンク支点３５及びその周辺の構成部品を軸方向から見た概略図である。ストッパ機構３７は、蓋体２０が開位置にある状態で、連結具３１における第２リンク支点３５の近傍部分を蓋体２０側に当接させることで、蓋体２０の回動がその位置で停止すると共に、開位置における蓋体２０の位置及び姿勢が規定されるようにした機構である。このストッパ機構３７は、蓋体２０の内面２０ｃに取り付けた取付板３４の表面に設けた当接面（係止部）３７ａを備えて構成されている。そして、蓋体２０が完全に開いた開位置で、連結具３１の長手方向が蓋体２０の内面２０ｃ及び取付板３４の当接面３７ａに対して略平行な状態になる。これにより、当該開位置で、取付板３４の当接面３７ａに連結具３１の長手方向に対する側面（蓋体２０側を向く側面）３１ｄが面接触状態で当接するようになっている。
【００３２】
蓋体２０は、上記のストッパ機構３７によって開位置での位置及び姿勢が規定されるようになっている。具体的には、図２（ａ）に示すように、蓋体２０はその開位置において、後端部２０ａが前端部２０ｂよりも下ケース１０の前側に位置するように傾斜した状態で、該下ケース１０の上面に立設される。
【００３３】
図６は、蓋体２０が閉位置と開位置との間で移動する際の動作を説明するための図である。なお、図６では、連結具３１など蓋体２０の開閉動作に関連する主要な部品のみを図示している。また、同図では、開位置と閉位置との間で移動する蓋体２０及び連結具３１の軌跡を連続的に図示している。まず、図６の（Ａ）に示す状態で、蓋体２０が下ケース１０における鍵盤５の上方を完全に閉じた閉位置にある。この状態では、蓋体２０の両端部２０ｄ，２０ｄの内面２０ｃが側板６，６の上端面６ａ，６ａに被さっている。この状態から蓋体２０の前端部２０ｂを上方に持ち上げると、図６の（Ｂ）→（Ｊ）の順で蓋体２０が回動して、下ケース１０における鍵盤５の上方が開かれてゆく。このとき、第１リンク支点３３を中心に第２リンク支点３５が前側かつ上側に向かって回動すると共に、図３に示すスライド機構４０のスライド突起４５ａがガイド溝４３ａに沿って下ケース１０の後側から前側へスライド移動することで、蓋体２０の後端部２０ａが鍵５ａ，５ｂの長手方向を後方から前方に移動する。これにより、蓋体２０は、後端部２０ａの近傍を支点として前端部２０ｂが上方に回動する。そして、最終的には、図６の（Ｋ）に示すように、連結具３１が当接面３７ａに当接する位置で、連結具３１及び蓋体２０の動作が停止する。この位置で、蓋体２０が完全に開かれた開位置となる。この閉位置では、蓋体２０の後端部２０ａが前端部２０ｂよりも若干前側に位置しており、蓋体２０の内面２０ｃが下から上に向かって後方に若干傾斜した状態になっている。このように、ストッパ機構３７によって、開位置における蓋体２０の位置及び姿勢が規定される。
【００３４】
一方、図６の（Ｋ）に示す開位置にある蓋体２０の前端部２０ｂを手前側に引くと、蓋体２０が閉位置に向かって移動する。この場合は、上記とは逆に、図６の（Ｊ）→（Ｂ）の順で蓋体２０が回動して、下ケース１０における鍵盤５の上方が閉じられてゆく。このとき、第１リンク支点３３を中心に第２リンク支点３５が後側かつ下側に向かって回動すると共に、蓋体２０の後端部２０ａが側板６の上端面６ａに沿って前方から後方へスライド移動する。これにより、蓋体２０は、後端部２０ａの近傍を支点として、前端部２０ｂ側が下方に回動する。そして、最終的には、図６の（Ａ）に示すように、蓋体２０の両端部２０ｄ，２０ｄの内面２０ｃが側板６，６の上端面６ａ，６ａに載置された状態で、蓋体２０が鍵盤５の上方を完全に閉じた閉位置となる。そして、図２（ｂ）に示すように、この閉位置で、蓋体２０の内面２０ｃに取り付けたトルク発生型の軸受部品３６，３６がパネル部材５５の譜面受け５３の両端に設けた収容部５２，５２に配置されるようになっている。
【００３５】
以上説明したように、本実施形態の鍵盤楽器１が備える蓋体開閉構造は、側板６と蓋体２０の端部２０ｄとの間に取り付けられて、その一方の端部３１ａが側板６側の第１リンク支点３３に軸支されており、他方の端部３１ｂが蓋体２０側の第２リンク支点３５に軸支されてなる長尺板状の連結具３１を備えている。そして、蓋体２０が開位置にある状態で連結具３１を蓋体２０の内面２０ｃに取り付けた取付板３４に当接させることで、蓋体２０の回動がその位置で停止すると共に、開位置における蓋体２０の位置及び姿勢が規定されるようにしたストッパ機構３７を備えている。
【００３６】
本実施形態の蓋体開閉構造では、開位置での蓋体の位置及び姿勢を規定するために、上記のように、連結具３１を蓋体２０側に当接させるストッパ機構３７を備えた。これにより、蓋体開閉構造の構成部品を用いて蓋体２０を開位置で停止させる機構を実現できる。したがって、蓋体開閉構造の構成部品以外の別部品で構成したストッパ機構を設ける場合と比較して、蓋体開閉構造の部品点数を少なく抑えることが可能となり、蓋体開閉構造及び鍵盤楽器１の構成の簡素化や軽量化を図ることができる。また、本実施形態では、連結具３１における第２リンク支点３５の近傍部分を蓋体２０の内面２０ｃ側に当接させるように構成したことで、開位置における蓋体２０を下ケース１０の上面あるいは鍵盤５の演奏面に対して所望の角度で傾けた状態で停止させることが簡単かつ確実に行えるようになる。
【００３７】
また、本実施形態のストッパ機構３７では、連結具３１の長手方向に対する側面３１ｄが、蓋体２０の内面２０ｃに取り付けた取付板３４の当接面３７ａに対して面接触状態で当接するように構成している。このように構成したことで、蓋体２０を開位置で確実に停止させることが可能となる。また、連結具３１の側面３１ｄが取付板３４の当接面３７ａに面接触状態で当接することで、開位置で停止した蓋体２０にさらに開方向へ移動させようとする力が作用した場合でも、蓋体２０が当該方向へ動いてしまうことを防止できると共に、連結具３１や蓋体２０に破損などの不具合が生じることを抑制できる。
【００３８】
また、本実施形態の蓋体開閉構造では、開位置にある蓋体２０は、その後端部２０ａが前端部２０ｂよりも下ケース１０の前側に位置するように傾斜した状態で該下ケース１０の上面に立設されるので、蓋体２０を開位置で安定的に停止させておくことが可能となる。したがって、開位置の蓋体２０が不用意に閉位置の方へ移動して閉じてしまうことをより確実に防止できる。
【００３９】
また、本実施形態の蓋体開閉構造は、蓋体２０が閉位置と開位置との間を移動する際に、該蓋体２０の後端部２０ａが下ケース１０に対して前後方向へスライド移動するように構成したスライド機構４０を備えている。これにより、蓋体２０が閉位置から開位置へ移動する際に、該蓋体２０の後端部２０ａが鍵５ａ，５ｂの長手方向を前側へ移動するように構成している。そして、ストッパ機構３７は、蓋体２０が開位置にある状態で、連結具３１の側面３１ｄが蓋体２０の内面２０ｃにおける後端部２０ａの近傍位置に当接するようになっている。
【００４０】
この構成によれば、蓋開時にスライド機構４０によって蓋体２０の後端部２０ａが下ケース１０の前側へ移動するような蓋体開閉構造において、ストッパ機構３７によって蓋体２０を開位置でより確実に停止させることができるようになる。
【００４１】
なお、上記実施形態のストッパ機構３７は、連結具３１の側面３１ｄを蓋体２０の内面２０ｃに取り付けた取付板３４に当接させるように構成した場合を示したが、これ以外にも、本発明にかかるストッパ機構は、連結具の側面を蓋体の内面などに対して直接当接させるように構成することも可能である。
【００４２】
また、上記実施形態では、蓋体２０側に設けた第２リンク支点３５は、蓋体２０の内面２０ｃにおける後端部２０ａ側に配置されている場合を示したが、第２リンク支点３５は、蓋体２０の幅方向（鍵５ａ，５ｂの配列方向）の端部２０ｄに設けてさえいれば、上記実施形態に示す以外の場所に配置することも可能である。例えば、蓋体２０の内面２０ｃにおける後端部２０ａと前端部２０ｂの中間位置や、蓋体２０の幅方向の端面における後端部２０ａ、又は後端部２０ａと前端部２０ｂの中間位置などに設けてもよい。
【００４３】
また、上記実施形態では、閉位置にある蓋体２０の両端部（幅方向の両端部）２０ｄ，２０ｄの内面２０ｃが側板６の上端面６ａに載置されるように構成した場合を示したが、これ以外にも、図示は省略するが、側板６の内側面６ｃに蓋止用の他の部材を取り付けておき、閉位置にある蓋体２０の両端部（幅方向の両端部）２０ｄ，２０ｄの内面２０ｃが、この蓋止用の部材の上端面に載置されるように構成してもよい。この場合、側板６の内側面６ｃに取り付ける蓋止用の部材は、その上端面が側板６の上端面６ａと平行かつ側板６の上端面６ａに対して蓋体２０の厚さ寸法分だけ低い位置となるように取り付けておけば、閉位置の蓋体２０の外面（上面）と側板６の上端面６ａとを同一の高さ位置で連続する一の面内に配置することができる。これにより、蓋体２０を閉じた状態の鍵盤楽器の外観を良好にすることができる。
【００４４】
〔第２実施形態〕
次に、本発明の第２実施形態について説明する。なお、第２実施形態の説明及び対応する図面においては、第１実施形態と同一又は相当する構成部分には同一の符号を付し、以下ではその部分の詳細な説明は省略する。また、以下で説明する事項以外の事項については、第１実施形態と同じである。
【００４５】
図７は、本発明の第２実施形態にかかる蓋体開閉構造の詳細構成を示す図で、鍵盤楽器１−２の側断面図である。また、図８は、第２実施形態の鍵盤楽器１−２における下ケース１０の一方の側部を示す部分拡大図である。本実施形態の蓋体開閉構造が備える連結機構３０−２は、第１実施形態の連結機構３０が備える一本の連結具３１に代えて、側板６と蓋体２０の端部２０ｄとの間に取り付けた互いの長さが異なる第１連結具６１と第２連結具８１とを有している。なお、図７では、パネル部材５５の図示は省略している。
【００４６】
第１連結具６１と第２連結具８１は、いずれも長尺板状の部材である。第１連結具６１は、その長手方向の一方の端部（下ケース１０側の端部）が側板６の内側面６ｃに設けた第１リンク支点６３に支持されており、他方の端部（蓋体２０側の端部）が蓋体２０の端部２０ｄ近傍の内面２０ｃに設けた第２リンク支点６５に支持されている。第２連結具８１は、その長手方向の一方の端部（下ケース１０側の端部）が側板６の内側面６ｃにおける第１リンク支点６３に隣接する位置に設けた第３リンク支点８３に支持されており、他方の端部（蓋体２０側の端部）が蓋体２０の内面２０ｃにおける第２リンク支点６５に隣接する位置に設けた第４リンク支点８５に支持されている。
【００４７】
第１リンク支点６３と第３リンク支点８３は、側板６の内側面６ｃに対して、第１連結具６１と第２連結具８１を下ケース１０の幅方向を軸方向とする回転軸周りで回転自在に支持している。また、第２リンク支点６５と第４リンク支点８５は、蓋体２０の内面２０ｃに対して、第１連結具６１と第２連結具８１を蓋体２０の幅方向及び面方向を軸方向とする回転軸周りで回転自在に支持している。そして、第１リンク支点６３には、側板６の内側面６ｃに固定した軸受部品６２が設けられており、第３リンク支点８３には、側板６の内側面６ｃに固定した軸受部品８２が設けられている。また、第２リンク支点６５は、蓋体２０の内面２０ｃに固定した取付板３４の支持片３４ａで第１連結具６１を支持しており、第４リンク支点８５は、取付板３４の他の支持片３４ｂで第２連結具８１を支持している。
【００４８】
第１連結具６１は、その長手方向が第１リンク支点６３から第２リンク支点６５に向かって延びる細板状で、第１リンク支点６３と第２リンク支点６５との中間部分には、平面内で互いに逆向きに屈曲する２箇所の屈曲部６１ｃ，６１ｆを有している。屈曲部６１ｃ，６１ｆは、いずれも略「く」字型に屈曲している。第１連結具６１は、その面を側板６の内側面６ｃと平行にして、第１リンク支点６３に近い側の屈曲部６１ｃの内側を上方及び前方に向けた状態で取り付けられている。また、第１リンク支点６３は、第２リンク支点６５よりも下側かつ前側（下ケース１０の下側かつ前側）に配置されている。
【００４９】
第２連結具８１は、その長手方向が第３リンク支点８３から第４リンク支点８５に向かって延びる細板状で、第３リンク支点８３と第４リンク支点８５との中間部分には、平面内で互いに逆向きに屈曲する２箇所の屈曲部８１ｃ，８１ｆを有している。屈曲部８１ｃ，８１ｆは、いずれも略「く」字型に屈曲している。第２連結具８１は、その面を側板６の内側面６ｃと平行にして、第３リンク支点８３に近い側の屈曲部８１ｃの内側を上方及び前方に向けた状態で取り付けられている。また、第３リンク支点８３は、第４リンク支点８５よりも下側かつ前側（下ケース１０の下側かつ前側）に配置されている。
【００５０】
第１連結具６１と第２連結具８１は、側板６の内側面６ｃに沿って設置されており、それらが下ケース１０の幅方向（横方向）に並べて配置されている。本実施形態では、第２連結具８１が幅方向の外側（内側面６ｃに近い側）に設置されており、第１連結具６１が内側（内側面６ｃから離れた側）に配置されている。そして、第１リンク支点６３と第３リンク支点８３は、側板６の内側面６ｃにおいて、鍵５ａ，５ｂの長手方向と略平行な面内（略水平面内）で前後に並べて配置されている。本実施形態では、第１リンク支点６３が前側で第３リンク支点８３が後側に配置されている。また、第２リンク支点３５と第４リンク支点８５は、蓋体２０の内面２０ｃにおいてその前後方向（前端部２０ｂから後端部２０ａに向かう方向）に沿って並べて設置されている。本実施形態では、第２リンク支点６５が前側（前端部２０ｂに近い側）で、第４リンク支点８５が後側（後端部２０ａに近い側）に配置されている。そして、第１リンク支点６３及び第３リンク支点８３は、下ケース１０に対する相対位置が固定された固定側の回動支点であり、第２リンク支点３５及び第４リンク支点８５は、下ケース１０に対する相対的な位置が変化する移動側の回動支点である。
【００５１】
そして、本実施形態の蓋体開閉構造においても、蓋体２０が開位置にある状態で、蓋体２０の回動を開位置で停止させるためのストッパ機構３７−２が設けられている。ストッパ機構３７−２は、図７及び図８に示すように、第１連結具６１における第２リンク支点３５の近傍部分と、第２連結具８１における第４リンク支点８５の近傍部分とを蓋体２０の内面２０ｃに設けた当接面（係止部）３７−２ａに当接させるように構成したものである。すなわち、図７（ａ）に示すように、蓋体２０が開位置にある状態で、第１連結具６１の側面６１ｄ及び第２連結具８１の側面８１ｄが取付板３４の当接面３７−２ａに面接触状態で当接するようになっている。また本実施形態においても、上記構成のストッパ機構３７−２によって開位置で停止した蓋体２０は、その後端部２０ａが前端部２０ｂよりも下ケース１０の前側に位置するように傾斜した状態で、該下ケース１０の上面に立設されるようになっている。
【００５２】
なお、上記のストッパ機構３７−２では、第１連結具６１と第２連結具８１の両方が（同時に）取付板３４の当接面３７−２ａに当接するように構成した場合を示したが、これ以外にも、第１連結具６１と第２連結具８１のいずれか一方のみが取付板３４の当接面３７−２ａに当接するように構成してもよい。すなわち、本実施形態のように第１連結具６１と第２連結具８１の２本の連結具を備えた連結機構３０−２にストッパ機構を設ける場合は、取付板３４の当接面３７−２ａに対して第１連結具６１と第２連結具８１の少なくともいずれかが最初に当接する位置が蓋体２０の開位置となるように設定すればよい。
【００５３】
またその場合は、第１連結具６１の屈曲部６１ｃ，６１ｆや第２連結具８１の屈曲部８１ｃ，８１ｆの曲げ角を適宜に設定すれば、第１連結具６１や第２連結具８１を取付板３４の当接面３７−２ａに対して面接触状態で当接させることができる。これらによって、連結具が１本の場合と２本の場合のいずれにおいても所望の位置及び角度で蓋体２０を停止させることができる。
【００５４】
以上本発明の実施形態を説明したが、本発明は上記実施形態に限定されるものではなく、特許請求の範囲、及び明細書と図面に記載された技術的思想の範囲内において種々の変形が可能である。例えば、上記実施形態では、蓋体開閉構造を適用した鍵盤楽器１として、卓上型の鍵盤楽器を示したが、本発明にかかる蓋体開閉構造は、卓上型の鍵盤楽器以外にも、脚部を備えた自立型（大型）の鍵盤楽器などに適用することも可能である。
【符号の説明】
【００５５】
１・・・鍵盤楽器、５・・・鍵盤、６・・・側板（側部）、１０・・・下ケース（ケース）、２０・・・蓋体、２０ａ・・・後端部、２０ｂ・・・前端部、２０ｃ・・・内面、２０ｄ・・・端部（幅方向の端部）、３０・・・連結機構、３１・・・連結具、３１ｄ・・・側面（長手方向に対する側面）、３３・・・第１リンク支点、３４・・・取付板、３５・・・第２リンク支点、３７・・・ストッパ機構、３７ａ・・・当接面（係止部）、４０・・・スライド機構、５５・・・パネル部材
【図１】
0005780028.tif 000002
【図２】
0005780028.tif 000003
【図３】
0005780028.tif 000004
【図４】
0005780028.tif 000005
【図５】
0005780028.tif 000006
【図６】
0005780028.tif 000007
【図７】
0005780028.tif 000008
【図８】
0005780028.tif 000009